【手続補正書】
【提出日】平成15年4月17日(2003.4.17)
【手続補正１】
【補正対象書類名】明細書
【補正対象項目名】特許請求の範囲
【補正方法】変更
【補正の内容】
【特許請求の範囲】
【請求項１】
パケット交換無線通信ネットワークで発呼を行うためのロケーション・ベースのサービスを提供する方法において、
第１のネットワーク・エレメントから第２のネットワーク・エレメントへの通信チャネルの設定要求を送信するステップを有し、前記要求は、ロケーション・ベースのサービスを必要とする呼を転送するために上記通信チャネルを使用することを前記要求の中に示すことを特徴とする方法。
【請求項２】
請求項１に記載の方法において、前記第１のネットワーク・エレメントは、設定された呼の処理能力を持つローカル・エンティティとコンタクトするものであり、
前記方法は、更に、
前記第２のネットワーク・エレメントから前記第１のネットワーク・エレメントへ受け入れメッセージを返送するステップであって、前記受け入れメッセージは前記要求の確認応答を行い、前記呼を処理するエンティティのアドレスを提供する、前記ステップと、
前記呼を前記エンティティへ転送するステップと、
をさらに有する方法。
【請求項３】
請求項２に記載の方法において、前記第２のネットワーク・エレメントは前記要求の中の前記指示に従って第３のネットワーク・エレメントを選択するものであり、前記第２のネットワーク・エレメントまたは前記第３のネットワーク・エレメントによりセットされたフィルタ用情報に従って前記通信チャネルのデータ・トラフィックをフィルタする方法。
【請求項４】
請求項２に記載の方法において、上記第２のネットワーク・エレメントは、前記第１のネットワーク・エレメントから前記要求を受信したとき、所在位置測定の開始要求を送信することを特徴とする方法。
【請求項５】
請求項４に記載の方法において、上記要求がＳＭサービス要求、起動ＰＤＰコンテキスト要求、起動２次ＰＤＰコンテキスト要求、起動ＡＡ−ＰＤＰコンテキスト要求、起動緊急ＰＤＰコンテキスト要求のうちの１つである方法。
【請求項６】
請求項２に記載の方法において、前記第２のネットワーク・エレメントは第３のネットワーク・エレメントへ前記通信チャネルの設定要求を送信するものであり、前記第３のネットワーク・クライアントは、前記通信チャネルの設定を求める前記要求に応答して、フィルタ用情報としてトラフィック・フロー・テンプレート（ＴＦＴ）を取得する方法。
【請求項７】
請求項６に記載の方法において、前記第３のネットワーク・エレメントがゲートウェイＧＰＲＳサポート・ノード（ＧＧＳＮ）であることを特徴とする方法。
【請求項８】
上記請求項６記載の方法において、前記第２のネットワーク・エレメントがサービスＧＰＲＳサポート・ノード（ＳＧＳＮ）であることを特徴とする方法。
【請求項９】
請求項２に記載の方法において、前記第２のネットワーク・エレメントが、前記通信チャネルの設定を求める前記要求に応答するフィルタ用情報として、トラフィック・フロー・テンプレート（ＴＦＴ）をセットするインターネットＧＰＲＳサービス・ノード（ＩＧＳＮ）であり；また、前記第１のネットワーク・エレメントが前記呼を処理する前記エンティティへ所在位置情報を送信するものであり；また、前記所在位置情報が、サービス・エリア用ＩＤ（ＳＡＩ）、ルート選定エリア加入者識別番号（ＲＡＩ）、セル用ＩＤ、座標情報またはこれらの任意の組合せであり；また、前記第２のネットワーク・エレメントが前記呼を処理する前記エンティティへ所在位置情報を送信するものであり；また、前記呼を処理する前記エンティティが所在位置計算エンティティから所在位置情報を要求することも可能であるものであり；また、前記所在位置計算エンティティが無線ネットワーク制御装置（ＲＮＣ）であるものであり；また、前記呼を処理する前記エンティティが、呼状態制御機能（ＣＳＣＦ）または緊急通信応答センター（ＰＳＡＰ）を有するものであり；また、前記呼がロケーション・ベースのサービスを要求する呼であることを示す前記通信チャネルの前記設定要求に先行して信号を送るための機密保護通信メッセージ・チャネルの設定要求が前記第１のネットワーク・エレメントにより送信されるものであり；また、第１のネットワーク・エレメントが前記要求メッセージを生成し、前記要求メッセージの中に前記パラメータが含まれるものであり；また、シグナリング用機密保護通信メッセージ・チャネルの前記設定要求がＳＭサービス要求であるものであり；また、上記第２のネットワーク・エレメントが、シグナリング用機密保護通信メッセージ・チャネルの前記設定要求に応答して、所在位置測定の開始要求を送信する方法。
【請求項１０】
請求項２に記載の方法において、前記要求時のパラメータは、非常呼の転送用として前記通信チャネルを使用する旨を示すために用いられ、前記要求時の前記パラメータはアクセス・ポイント名（ＡＰＮ）である方法。
【請求項１１】
パケット交換無線通信ネットワークであって、第１のネットワーク・エレメントと；第２のネットワーク・エレメントとを具備し、前記第１のネットワーク・エレメントが前記第２のネットワーク・エレメントへの通信チャネルの設定要求の生成及び送信を行い、前記要求は、前記第１のネットワーク・エレメントへの、あるいは、前記第１のネットワーク・エレメントからの呼関連制御メッセージを転送するために上記通信チャネルを使用することを示すことを特徴とするパケット交換無線通信ネットワーク。
【請求項１２】
請求項１１に記載のパケット交換無線通信ネットワークにおいて、前記第２のネットワーク・エレメントがサービスＧＰＲＳサポート・ノード（ＳＧＳＮ）であることを特徴とするパケット交換無線通信ネットワーク。
【請求項１３】
請求項１１に記載のパケット交換無線通信ネットワークにおいて、前記第２のネットワーク・エレメントがインターネットＧＰＲＳサポート・ノード（ＩＧＳＮ）であることを特徴とするパケット交換無線通信ネットワーク。
【請求項１４】
パケット交換無線通信ネットワーク内の第１のネットワーク・エレメント（ＵＥ）から呼のルート選定を行う方法において、第２のネットワーク・エレメントから前記第１のネットワーク・エレメント（ＵＥ）に所在位置情報を提供するステップと、前記第１のネットワーク・エレメント（ＵＥ）から第３のネットワーク・エレメント（ＣＳＣＦ）へ呼の設定要求を送信するステップとを有し、前記要求は上記第１のネットワーク・エレメント（ＵＥ）用の前記所在位置情報を含むことを特徴とする方法。
【請求項１５】
請求項１４に記載の方法において、上記無線アクセス・ネットワーク内のネットワーク・エレメント（ＲＮＣ）から上記第１のネットワーク・エレメント（ＵＥ）へ前記所在位置情報を提供することを特徴とする方法。
【請求項１６】
請求項１５に記載の方法において、ＲＲＣメッセージで上記所在位置情報を提供することを特徴とする方法。
【請求項１７】
請求項１５に記載の方法において、上記第１のネットワーク・エレメント（ＵＥ）へ上記所在位置情報を放送することを特徴とする方法。
【請求項１８】
請求項１４に記載の方法において、上記所在位置情報は、上記無線アクセス・ネットワーク（ＲＮＣ）内のネットワーク・エレメントから上記第２のネットワーク・エレメント（ＳＧＳＮ）へ転送されるものであり；上記第２のネットワーク・エレメント（ＳＧＳＮ）によって、上記第１のネットワーク・エレメント（ＵＥ）のための通信接続（ＰＤＰコンテキスト）の確立要求へ、上記所在位置情報が前記呼設定要求前に受け入れメッセージで送信されるものであり；上記通信接続がＰＤＰコンテキストであり、上記受け入れメッセージが上記受け入れＰＤＰコンテキスト起動メッセージである方法。
【請求項１９】
請求項１４に記載の方法において、上記所在位置情報が測位方法の一部として上記第１のネットワーク・エレメントへ提供されるものであり；また、少なくとも部分的に前記要求の中に含まれる前記所在位置情報に基づいて上記第２のネットワーク内のエンティティ（ＰＳＡＰ）を選択するさらなるステップを有するものであり；また、上記呼が非常呼であり；また、上記第１のネットワーク・エレメントからの非常呼に応答して受け入れメッセージを返送するステップをさらに有し、前記受け入れメッセージは、前記要求の確認応答を行い、次いで、前記呼制御エンティティのアドレスを提供するものであり；また、前記選択されたＰＳＡＰへ前記非常呼を転送するステップをさらに有する方法。
【請求項２０】
請求項１４に記載の方法において、上記第２のネットワーク・エレメント（ＳＧＳＮ）が、上記呼用の一時ＰＳドメイン識別子を割り当てるものであり；また、上記第２のネットワーク・エレメント（ＳＧＳＮ）が、所在位置情報（ＧＬＭＣ）を保持するエンティティへ前記一時ＰＳドメイン識別子を送信するものであり；また、前記一時ＰＳドメイン識別子が、上記第２のネットワーク・エレメント（ＳＧＳＮ）から上記第１のネットワーク・エレメント（ＵＥ）へ、次いで、上記第１のネットワーク・エレメント（ＵＥ）から上記第３のネットワーク・エレメント（ＣＳＣＦ、ＰＳＡＰ）へ、次いで、上記第３のネットワーク・エレメント（ＣＳＣＦ、ＰＳＡＰ）から非常呼（ＥＣ）処理エンティティへ送信されるものであり；また、エンティティ処理用非常呼（ＥＣ）は、エンティティ保持用所在位置情報（ＧＬＭＣ）から所在位置情報を要求するとき、非常呼の特定を行うための上記一時ＰＳドメイン識別子を用いるものであり；また、前記第３のネットワーク・エレメントが呼設定（ＣＳＣＦ、ＰＳＡＰ）処理能力を有する呼制御ローカル・エンティティであり；また、上記第１のネットワーク・エレメントで上記測位方法を実行する方法。
【請求項２１】
請求項１４に記載の方法において、上記第２のネットワーク・エレメント（ＳＧＳＮ）が、前記第１のネットワーク・エレメントからの前記呼要求の受信に応答して、位置推定値を取得するために測位方法を開始するように上記無線アクセス・ネットワークに指示するものであり、前記測位方法により取得された上記位置推定値をゲートウェイ移動ロケーション・センタ（ＧＭＬＣ）へ出力する方法。
【請求項２２】
請求項１８に記載の方法において、前記第２のネットワーク・エレメントが、前記第１のネットワーク・エレメントからの前記非常呼要求に応答して、上記移動端末装置に対応する上記所在位置情報を上記無線アクセス・ネットワークから要求するものであり、前記選択されたＰＳＡＰへ上記非常呼を転送した後、前記選択されたＰＳＡＰが前記ＧＭＬＣから前記位置推定値を取得するものであり、前記選択されたＰＳＡＰが前記ＧＭＬＣから前記位置推定値を取得するとき、割り当てられた電話番号を用いて上記非常呼を特定する方法。
【請求項２３】
請求項１４に記載の方法において、上記第１のネットワーク・エレメントは、上記呼設定要求を送信すると同時に測位方法を開始するように要求するものであり、上記第１のネットワーク・エレメントがユーザ用装置（ＵＥ、ＭＳ）であり、上記第２のネットワーク・エレメントがＳＧＳＮであり、前記所在位置情報がサービス・エリア用ＩＤ（ＳＡＩ）、ルート選定エリア加入者識別番号（ＲＡＩ）、セル用ＩＤ、座標情報またはこれらの任意の組合せである方法。
【請求項２４】
パケット交換無線通信ネットワークであって、ユーザ用装置と；無線アクセス・ネットワークと；ネットワーク・エレメントとを具備するパケット交換無線通信ネットワークにおいて、前記無線アクセス・ネットワークから前記ユーザ用装置へ所在位置情報を送信し、上記ユーザ用装置が前記ネットワーク・エレメントへ呼設定要求を送信するとき、上記要求は前記所在位置情報を含むことを特徴とするパケット交換無線通信ネットワーク。
【請求項２５】
請求項２４に記載のパケット交換無線通信ネットワークにおいて、前記ネットワーク・エレメントがＣＳＣＦまたはＰＳＡＰであり、前記ＳＧＳＮが前記サービス・エリア用ＩＤを受信し、前記サービス・エリア用ＩＤを前記移動端末装置へ転送するものであり、前記パケット交換無線通信ネットワークは、非常呼設定要求時に移動端末装置から前記サービス・エリア用ＩＤを受信する呼制御エンティティをさらに具備するものであり、前記呼制御エンティティが複数の緊急通信応答センター（ＰＳＡＰ）を特定し、前記複数のＰＳＡＰをサービス・エリア用ＩＤと一致させるデータベースを備えており、少なくとも部分的に前記サービス・エリア用ＩＤに基づいて前記呼制御エンティティがＰＳＡＰを選択するパケット交換無線通信ネットワーク。